(57)【要約】【課題】並列接続可能なスピーカーユニットにおいて振動の歪みを防止して高い音響再現性能を得ること。【解決手段】ウーハ１の外面に設けられた入力端子１１及び送り端子１２が，当該ウーハ１を正面視したとき，ボイスコイル１４の中心点１４ａを中心に点対称となる位置関係で配置されている。また，導糸線１７，１８が，当該ウーハ１を正面視したとき，ボイスコイル１４の中心点１４ａを通り入力端子１１及び送り端子１２を結ぶ仮想線Ｖ１と，ボイスコイル１４の中心点１４ａを通り仮想線Ｖ１に垂直な仮想線Ｖ２とによって当該ウーハ１内に形成される４つの空間Ｓ１〜Ｓ４各々における導糸線１７，１８の配線量が略同じになるように配線されている。具体的に，前記導糸線１７，１８が，前記仮想線Ｖ１を対称軸とする線対称であって，且つ前記仮想線Ｖ２を対称軸とする線対称となるように配線されている。【選択図】図２
2009225110.tif 000002
【特許請求の範囲】
【請求項１】
供給された電気信号に基づいて振動板を振動させるためのボイスコイルと，当該スピーカーユニットの外面に設けられ，前記電気信号を伝送する一対の外部信号線が接続される入力端子及び送り端子と，当該スピーカーユニットの内部で前記入力端子に前記ボイスコイル及び前記送り端子を並列接続する内部信号線とを備えてなるスピーカーユニットであって，
前記入力端子及び前記送り端子が，当該スピーカーユニットを正面視したとき，前記ボイスコイルの中心点を中心に点対称となる位置関係で配置されてなり，
前記内部信号線が，当該スピーカーユニットを正面視したとき，前記ボイスコイルの中心点を通り前記入力端子及び前記送り端子を結ぶ第１の仮想線と，前記ボイスコイルの中心点を通り前記第１の仮想線に垂直な第２の仮想線とによって当該スピーカーユニット内に形成される４つの空間各々における前記内部信号線の配線量が略同じになるように配線されてなることを特徴とするスピーカーユニット。
【請求項２】
前記内部信号線が，当該スピーカーユニットを正面視したとき，前記第１の仮想線を対称軸とする線対称であって，且つ前記第２の仮想線を対称軸とする線対称であるように配線されてなる請求項１に記載のスピーカーユニット。
【請求項３】
前記内部信号線が，前記入力端子と前記送り端子とを前記ボイスコイルの両外側を通過して接続する一対の第１の内部信号線と，前記第１の内部信号線各々を前記ボイスコイルに接続する一対の第２の内部信号線とを含んでなり，
前記第１の内部信号線と前記第２の内部信号線との接続部が，前記第２の仮想線上における前記ボイスコイルの両外側に位置してなる請求項２に記載のスピーカーユニット。
【請求項４】
請求項１〜３のいずれかに記載のスピーカーユニットを複数備えてなるスピーカーシステム。
【発明の詳細な説明】
【技術分野】
【０００１】
本発明は，供給された電気信号に基づいて振動板を振動させることにより音を出力するスピーカーユニット及びこれを複数備えたスピーカーシステムに関するものである。
【背景技術】
【０００２】
例えばテレビジョン受像機などのＡＶ機器やオーディオ機器には，供給された音声信号（電気信号）に基づいて音声を出力するスピーカーユニットが設けられる。スピーカーユニットでは，音声信号（電流）をボイスコイルに入力して振動板（コーン）で空気を振動させることによって音声が出力される。このとき，一つのスピーカーユニットでは，高音帯域及び低音帯域各々の音響再現性能に限界があり，両者の音域について高い音響再現性能を得ることは難しい。
そこで，従来から，ウーハ（低音帯域用），スコーカー（中音帯域用），ツィータ（高音帯域用）など，再生帯域の異なる複数のスピーカーユニットを組み合わせて一つのスピーカーシステム（所謂２ｗａｙスピーカー，３ｗａｙスピーカーなど）が構成されることがある。前記スピーカーシステムでは，複数のスピーカーユニットが並列接続されることにより，スピーカーユニット各々に同じ音声信号が入力される。複数のスピーカーユニットを並列接続する技術は，例えば特許文献１に開示されている。
具体的に，特許文献１には，音声信号を入力する外部信号線が接続される入力端子と，該入力端子に並列接続されたスピーカー及び送り端子とを備えたスピーカーユニットが開示されている（特許文献１の図５参照）。そして，スピーカーユニットの送り端子に，次のスピーカーユニットの入力端子が接続されることにより，それらのスピーカーユニットが並列接続される。
【特許文献１】実開平４−１１２５９０号公報
【発明の開示】
【発明が解決しようとする課題】
【０００３】
ところで，スピーカーユニットでは，振動板を振動させて空気を振動させることにより音が出力されるため，高い音響再現性能を得るためには，該スピーカーユニットにおける振動の歪みを防止することが望ましい。
しかしながら，前記特許文献１の図５の模式回路図では，スピーカーユニットを正面視したとき，前記入力端子から前記スピーカーの上方を通過して前記送り端子に至る配線経路が記載されている。実際にこのような配線経路で配線がなされているとすると，前記スピーカーユニット内に配線される線材が偏って存在することになるため，該スピーカーユニットの振動に歪みが生じて音響再現性能が低下するという問題が生じる。
従って，本発明は上記事情に鑑みてなされたものであり，その目的とするところは，並列接続可能なスピーカーユニットにおいて振動の歪みを防止して高い音響再現性能を得ることにある。
【課題を解決するための手段】
【０００４】
上記目的を達成するために本発明は，供給された電気信号に基づいて振動板を振動させるためのボイスコイルと，当該スピーカーユニットの外面に設けられ，前記電気信号を伝送する一対の外部信号線が接続される入力端子及び送り端子と，当該スピーカーユニットの内部で前記入力端子に前記ボイスコイル及び前記送り端子を並列接続する内部信号線とを備えてなるスピーカーユニットに適用されるものであって，下記の（１）及び（２）の要件を満たすものであることを特徴としている。
（１）前記入力端子及び前記送り端子が，当該スピーカーユニットを正面視したとき，前記ボイスコイルの中心点を中心に点対称となる位置関係で配置されてなる。
（２）前記内部信号線が，当該スピーカーユニットを正面視したとき，前記ボイスコイルの中心点を通り前記入力端子及び前記送り端子を結ぶ第１の仮想線と，前記ボイスコイルの中心点を通り前記第１の仮想線に垂直な第２の仮想線とによって当該スピーカーユニット内に形成される４つの空間各々における前記内部信号線の配線量が略同じになるように配線されてなる。
【０００５】
これにより，本発明に係るスピーカーユニットでは，上記（１）及び（２）の要件が満たされ，前記４つの空間各々における前記内部信号線の配線量が同じになるため，該スピーカーユニットにおける振動の歪みを防止することができ，高い音響再現性能を得ることができる。
例えば，前記内部信号線が，当該スピーカーユニットを正面視したとき，前記第１の仮想線を対称軸とする線対称であって，且つ前記第２の仮想線を対称軸とする線対称であるように配線されてなる構成が考えられる。このように，前記４つの空間各々における前記内部信号線の配線形状を略同じにすることで，振動の歪みを低減させてより高い音響再現性能を得ることができる。
具体的に，前記内部信号線が，前記入力端子と前記送り端子とを前記ボイスコイルの両外側を通過して接続する一対の第１の内部信号線と，前記第１の内部信号線各々を前記ボイスコイルに接続する一対の第２の内部信号線とを含んでなる場合には，前記第１の内部信号線と前記第２の内部信号線との接続部が，前記第２の仮想線上における前記ボイスコイルの両外側に位置するように構成することが考えられる。このような構成によって，前記４つの空間各々における前記内部信号線の配線形状を略同じにするという構成を具現することが可能である。なお，当該構成によれば，前記入力端子から前記送り端子及び前記ボイスコイル各々に個別に配線を行う場合に比べて配線距離を短くすることができるため，前記スピーカーユニット内部の配線量を少なくして音質への影響を低減することができる。
また，本発明は，前記スピーカーユニットを複数備えてなるスピーカーシステムとして捉えてもよい。このように構成されたスピーカーシステムでは，前記スピーカーユニットを前記第１の仮想線に沿って同方向に並べたとき，該スピーカーユニット間の配線を直線的に最短距離で接続することができるため，その配線がスピーカーシステムの筐体などに接触することによるビビリ音の発生などを防止することも可能である。
【発明の効果】
【０００６】
本発明によれば，本発明に係るスピーカーユニットでは，上記（１）及び（２）の要件が満たされ，前記４つの空間各々における前記内部信号線の配線量が同じになるため，該スピーカーユニットにおける振動の歪みを防止することができ，高い音響再現性能を得ることができる。
特に，当該スピーカーユニットの正面視で，前記内部信号線が，前記第１の仮想線を対称軸とする線対称であって，且つ前記第２の仮想線を対称軸とする線対称であるように配線すれば，前記４つの空間各々における前記内部信号線の配線形状もほぼ同じになるため，振動の歪みが低減してより高い音響再現性能が得られる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るスピーカーシステムＸを平面視したときの要部模式図，図２は前記スピーカーシステムＸを正面視したときの要部模式図である。
まず，図１を用いて，本発明の実施の形態に係るスピーカーシステムＸの概略構成について説明する。
前記スピーカーシステムＸは，例えば，テレビジョン受像機などのＡＶ機器やオーディオ機器に設けられるものであって，図１に示すように，低音帯域用のスピーカーユニットであるウーハ１と，高音帯域用のスピーカーユニットであるツィータ２とをシステム筐体３に内蔵している。なお，例えばテレビジョン受像機に前記スピーカーシステムＸが内蔵される場合には，そのテレビジョン受像機の筐体が前記システム筐体３である構成が考えられる。
本実施の形態で説明するスピーカーシステムＸは，前記ウーハ１及び前記ツィータ２の二つのスピーカーユニットを有する所謂２ｗａｙスピーカーであるが，本発明は，三つ以上のスピーカーユニットを並列接続して構成されるスピーカーシステムにも適用可能である。
【０００８】
前記ウーハ１は，ケーシング１０，入力端子１１，送り端子１２，ボビン１３，ボイスコイル１４，振動板１５，マグネット１６，導糸線１７，導糸線１８（図２参照）などを有して概略構成されている。なお，前記ツィータ２は，前記ウーハ１に比べて振動系のストロークが小さく，小口径，低質量で構成されるが，基本的な構造については前記ウーハ１と同様であるため，同じ符号を付してその説明を省略する。
前記入力端子１１及び前記送り端子１２は，前記ケーシング１０の外面に設けられている。前記入力端子１１は，例えばチューナなどの外部装置からの音声信号（電気信号）を伝送する一対の外部信号線４１を前記導糸線１７に接続し，前記送り端子１２は，前記導糸線１７を一対の外部信号線４２に接続する。
【０００９】
前記スピーカーシステムＸでは，前記外部信号線４１が前記ウーハ１の入力端子１１に接続され，前記外部信号線４２によって前記ウーハ１の送り端子１２と前記ツィータ２の入力端子１１とが接続されることにより，前記ウーハ１及び前記ツィータ２が並列接続される。これにより，前記外部信号線４１から伝送される音声信号は，前記ウーハ１及び前記ツィータ２に同時に入力されて再生される。
なお，後段で図２を用いて説明するように，前記ウーハ１や前記ツィータ２において，前記入力端子１１及び前記送り端子１２は中心に対称な位置に配置されている。そのため，前記ウーハ１及び前記ツィータ２を一直線上に並べて配置する場合に，前記外部信号線４２を直線状に最短距離で配線することができ，前記ウーハ１や前記ツィータ２の外周に這わせる必要が無い。従って，前記外部信号線４２が前記システム筐体３に接触して振動することにより生じるビビリ音を防止することができる。また，前記システム筐体３のサイズを小さくすることも可能であり，近年薄型化が望まれるテレビジョン受像機などに好適である。
【００１０】
前記ボビン１３は，前記振動板１５の一端部に結合されており，該ボビン１３の外周には，銅線が巻かれることによって前記ボイスコイル１４が形成されている。前記ボイスコイル１４は，その両端部に供給される電気信号に基づいて前記振動板１５を振動させるためのものである。
前記振動板１５は，前記ボビン１３に結合された側の一端部から他端部に向けて拡開する略円錐形状を成したコーン型の振動板であり，その他端部はエッジ１５ａを介して前記ケーシング１０に固定されている。
また，前記マグネット１６は，前記ボイスコイル１４に磁束を作用させるための永久磁石などであって，中央に前記ボイスコイル１４より大きい孔を有するリング状に形成されたものである。前記マグネット１６は，該マグネット１６の孔の内周と前記ボイスコイル１４の外周との間に所定の間隙を形成する状態で位置固定されている。
前記ウーハ１では，前記ボイスコイル１４に音声信号（電流）が入力されると，フレミングの左手の法則に基づいて前記ボイスコイル１４に作用する力によって前記ボビン１３が振動する。これにより，前記ボビン１３に結合された前記振動板１５が振動して空気が振動することにより，前記音声信号に基づく音声が出力される。
【００１１】
一方，前記ウーハ１の内部では，前記入力端子１１及び前記送り端子１２は，２本（±）の導糸線１７（一対の第１の内部信号線に相当）によって接続されている。また，前記導糸線１７及び前記ボイスコイル１４は，２本（±）の前記導糸線１８（一対の第２の内部信号線に相当）によって接続部１９において接続されている。即ち，前記ウーハ１では，該ウーハ１の内部に配線される前記導糸線１７及び１８（内部信号線の一例）によって，前記入力端子１１に前記ボイスコイル１４及び前記送り端子１２が並列接続されている。
ここに，前記導糸線１７及び１８は，極細の銅線（銅箔）を錦糸などに巻き付けて形成されたものであって耐屈曲に優れており，振動による金属疲労に強く切れにくいという性質を有している。導糸線は，他に銅糸線，錦糸線，リードワイヤーなどと称されることもある。
【００１２】
ところで，前述したように，前記ウーハ１では，前記振動板１５を振動させて空気を振動させることにより音が出力されるため，高い音響再現性能を得るためには，該ウーハ１における振動の歪みを防止することが望ましい。
そこで，本発明の実施の形態に係る前記ウーハ１では，該ウーハ１の内部における前記導糸線１７，１８の配線構造に工夫を施すことにより，該ウーハ１における振動の歪みを防止している。
以下，図２を参照しつつ，この点について説明する。なお，図２は，前記スピーカーシステムＸを正面視したときの要部模式図であって，図１におけるＡ−Ａ’ 矢視断面を示している。
ここに，図２に示す仮想線Ｖ１（第１の仮想線に相当）は，前記ボイスコイル１４の中心点１４ａを通り前記入力端子１１及び前記送り端子１２を結ぶ線，仮想線Ｖ２（第２の仮想線に相当）は，前記ボイスコイル１４の中心点１４ａを通り前記仮想線Ｖ１に垂直な線である。この仮想線Ｖ１及びＶ２は，前記ウーハ１の内部空間を４つの空間Ｓ１〜Ｓ４に等分している。
【００１３】
図２に示すように，前記ウーハ１において，前記導糸線１７は，前記ボイスコイル１４の両外側を通過する一対の導糸線１７ａ，１７ｂを有している。また，前記導糸線１８は，前記導糸線１７ａ，１７ｂ各々を前記ボイスコイル１４に接続する一対の導糸線１８ａ，１８ｂを有している。なお，前記導糸線１７ａ，１７ｂと前記導糸線１８ａ，１８ｂとの接続は半田づけ等によって行われる。
ここで，前記導糸線１７ａと前記導糸線１８ａ，前記導糸線１７ｂと前記導糸線１８ｂの各々の接続部１９ａ，１９ｂは，前記仮想線Ｖ２上における前記ボイスコイル１４の両外側近傍に位置している。なお，前記ボイスコイル１４は，該ボイスコイル１４を形成する銅線の両端部が，前記仮想線Ｖ２上における前記ボイスコイル１４の両外側に位置するように配置されている。また，前記導糸線１８を省略して，前記ボイスコイル１４及び前記導糸線１７を直接接続してもよい。
【００１４】
一方，前記ウーハ１では，図２に示すように，前記入力端子１１及び前記送り端子１２が，前記ウーハ１を正面視したとき，前記ボイスコイル１４の中心点１４ａを中心に点対称となる位置関係で配置されている。即ち，前記入力端子１１を前記ボイスコイル１４の中心点１４ａを中心に１８０°回転させた位置が前記送り端子１２の位置に一致する関係が成立している。
そして，前記ウーハ１では，該ウーハ１を正面視したとき，前記導糸線１７及び１８を一つの図形として見ると，前記仮想線Ｖ１を対称軸とする線対称であって，且つ前記仮想線Ｖ２を対称軸とする線対称の関係が成立している。即ち，前記導糸線１７ａと前記導糸線１７ｂとは前記仮想線Ｖ１を対称軸として線対称の関係にあり，前記導糸線１７ａ及び前記導糸線１７ｂ各々は前記仮想線Ｖ２を対称軸として線対称である。同じく，前記導糸線１８ａと前記導糸線１８ｂとは前記仮想線Ｖ１を対称軸として線対称の関係にある。また，前記導糸線１８ａ及び前記導糸線１８ｂ各々は，前記仮想線Ｖ２上にあるため，該仮想線Ｖ２を対称軸として線対称であるとも言える。
【００１５】
このように，前記ウーハ１では，図２に示すように前記ウーハ１を正面視したとき，前記導糸線１７及び１８が，前記仮想線Ｖ１及びＶ２によって前記ウーハ１内に形成された４つの前記空間Ｓ１〜Ｓ４各々における配線量がほぼ同じになるように配線されている。従って，前記ウーハ１における振動の歪みを防止することができ，高い音響再現性能を維持することができる。なお，図２に示す前記導糸線１７，１８の配線構造は単なる一例に過ぎず，前記空間Ｓ１〜Ｓ４各々における配線量がほぼ同じになるものであれば他の形状であってもかまわない。
また，前記ボイスコイル１４は，前記ボイスコイル１４の両外側の近傍において前記導糸線１８が前記導糸線１７に接続されることによって，前記入力端子１１に接続されているため，該入力端子１１から別途配線を行う場合に比べて配線距離を短くすることができるため，前記ウーハ１内部の配線量を少なくして音質への影響を低減することができる。
【産業上の利用可能性】
【００１６】
本発明は，並列接続される複数のスピーカーユニットを備えるテレビジョン受像機などのＡＶ機器やオーディオ機器への利用が可能である。
【図面の簡単な説明】
【００１７】
【図１】本発明の実施の形態に係るスピーカーシステムを平面視したときの要部模式図。
【図２】本発明の実施の形態に係るスピーカーシステムを正面視したときの要部模式図。
【符号の説明】
【００１８】
１…ウーハ（スピーカーユニットの一例）
２…ツィータ（スピーカーユニットの一例）
３…システム筐体
４１，４２…外部信号線
１０…ケーシング
１１…入力端子
１２…送り端子
１３…ボビン
１４…ボイスコイル
１４ａ…中心点
１５…振動板
１５ａ…エッジ
１６…マグネット
１７，１７ａ，１７ｂ…導糸線（第１の内部信号線の一例）
１８，１８ａ，１８ｂ…導糸線（第２の内部信号線の一例）
１９，１９ａ，１９ｂ…接続部
Ｖ１…仮想線（第１の仮想線の一例）
Ｖ２…仮想線（第２の仮想線の一例）
Ｘ…スピーカーシステム
【図１】
2009225110.tif 000003
【図２】
2009225110.tif 000004